(57)【要約】【課題】破砕機構又は切断機構を備えた処理装置の内部への異物の混入を防止し、処理装置を安定に動作させることを目的とする。【解決手段】供給ホッパ３０において、処理対象物に混入した異物を取り除く多数の篩孔３２を底板３０Ａに形成し、この篩孔３２から土や小石等の異物を取り除くようにしたので、処理装置１０への異物の混入を防止でき、処理装置１０が安定して動作可能となる。【選択図】図２
2007268480.tif 000002
【特許請求の範囲】
【請求項１】
破砕機構又は切断機構を備えた処理装置に処理対象物を供給する供給ホッパであって、
前記処理対象物に混入した異物を取り除く多数の篩孔が形成された底板と、
前記底板の両端部から立設する側板と、
を備えたことを特徴とする供給ホッパ。
【発明の詳細な説明】
【技術分野】
【０００１】
本発明は、破砕機構又は切断機構を備えた処理装置に処理対象物を供給する供給ホッパに関する。
【背景技術】
【０００２】
従来の破砕機構又は切断機構を備えた処理装置（例えば、特許文献１参照）では、破砕又は切断を行う処理部に処理対象物を供給するための供給ホッパが設けられている。このような処理装置において、供給ホッパの内部に投入された処理対象物は、供給ホッパの内壁に沿って処理部に導入され、破砕又は切断されて処理装置外へ排出される構成となっている。
【０００３】
しかしながら、処理装置の供給ホッパに供給される物は、事前に処理対象物が選別されておらず、異物が混入したままの状態（例えば、剪定枝や残幹（幹、根等）を圃場から収集する際の土や小石等の混入）で処理装置に供給される場合が多い。
【０００４】
このため、処理装置内部の破砕又は切断を行う処理部において、刃物が異物によって破損されるなどして、処理能力が低下したり動作が不安定になる場合がある。
【特許文献１】実公平４−２５２８７号公報
【発明の開示】
【発明が解決しようとする課題】
【０００５】
本発明は、上記事実に鑑みてなされたものであり、破砕機構又は切断機構を備えた処理装置の内部への異物の混入を防止し、処理装置を安定に動作させることを目的とする。
【課題を解決するための手段】
【０００６】
本発明の請求項１に係る供給ホッパは、破砕機構又は切断機構を備えた処理装置に処理対象物を供給する供給ホッパであって、前記処理対象物に混入した異物を取り除く多数の篩孔が形成された底板と、前記底板の両端部から立設する側板と、を備えたことを特徴とする。
【０００７】
上記構成によれば、供給ホッパの底板に多数の節孔が形成されているので、剪定枝や残幹等の処理対象物を供給ホッパに供給する際に、処理対象物に混入している土や小石等の異物が篩孔から篩い落とされ、異物が処理装置に入ることを防止される。
【発明の効果】
【０００８】
本発明は上記構成としたので、処理対象物に混入している異物が処理装置に入ることを防止され、刃物の破損がなく、処理装置の動作が安定する。
【発明を実施するための最良の形態】
【０００９】
本発明の供給ホッパの実施形態を図面に基づき説明する。
【００１０】
図１には、本発明の実施の形態に係る処理装置としての定置式の破砕装置１０が示されている。なお、説明の都合上、上記各図では、装置上方方向を矢印ＵＰで示し、装置前方方向を矢印ＦＲで示し、装置幅方向を矢印Ｗで示してある。  
【００１１】
図１及び図２に示すように、破砕装置１０は、中空の機体１２を備えており、機体１２の内部には、ドラム状に形成された破砕室１４が設けられている。破砕室１４の上部は、機体１２の上壁を構成する上部カバー１６によって構成されている。上部カバー１６は、機体１２に着脱可能に取り付けられており、上部カバー１６を機体１２から取り外すことで、破砕室１４を露出させることができる。
【００１２】
機体１２の外側には、ギヤボックス２０が取り付けられている。ギヤボックス２０内には、機体１２の下部に設けられたモータ２２と連結された、図示しない駆動伝達部が収容されている。
【００１３】
破砕室１４の装置後方側には、供給口２６が形成されており、供給口２６には、装置後方側へ突出する供給ホッパ３０が接続されている。供給ホッパ３０は、一枚の鋼板をＵ字形に屈曲形成してなるもので、底板３０Ａ及び一対の側板３０Ｂが形成されている。
【００１４】
供給ホッパ３０は、破砕室１４に対して斜め上方を向くように所定の角度傾斜させて取り付けられており、供給ホッパ３０内に投入される処理対象物としての剪定枝等の被破砕物Ｍは、供給ホッパ３０の底板３０Ａ上面を滑り、供給口２６側へ流下するようになっている。なお、供給ホッパ３０に供給される物には、被破砕物Ｍ以外に土（図２のＴ）や小石（図２のＳ）等の異物が混入している。
【００１５】
また、破砕装置１０の内部における供給口２６の近傍において、供給ローラ２４が設けられている。供給ローラ２４は機体１２に上下動可能に取り付けられた図示しない軸受板に軸支されており、前述の駆動伝達部を介して伝達されるモータ２２の駆動力によって図２の矢印Ａ方向へ回転するようになっている。
【００１６】
供給ホッパ３０の内部に供給された被破砕物Ｍは、供給ローラ２４と供給ホッパ３０の底板３０Ａとの間に挿入されると共に、上述の如く回転する供給ローラ２４によって破砕室１４へ送り込まれるようになっている。
【００１７】
ここで、底板３０Ａには、貫通した多数の篩孔３２が形成されている。この篩孔３２は、剪定枝や残幹等の被破砕物Ｍを供給ホッパ３０に供給した際に、被破砕物Ｍに混入している土Ｔや小石Ｓ等の異物を篩い落とすためのものであり、その大きさは被破砕物Ｍが供給ホッパ３０内を通るのに支障がない程度に大きめにするのが好ましい。
【００１８】
また、側板３０Ｂにも上記篩孔３２と同じような篩孔３９が形成されている。
【００１９】
破砕室１４の内部には、破砕装置１０の主要部を構成する切断機構部３７が設けられている。切断機構部３７は、機体１２の幅方向（図２では紙面に垂直な方向）を軸方向として配置された回転シャフト４４を備えている。回転シャフト４４は、機体１２の側壁に取り付けられた図示しない軸受によって回転可能に支持されており、前述した駆動伝達部を介して伝達されるモータ２２の駆動力によって図２の矢印Ｂ方向へ回転する。
【００２０】
回転シャフト４４の軸線方向両端部近傍及び軸方向中間部には、それぞれ支持部材としての複数の支持プレート４６が取り付けられている。支持プレート４６は、それぞれ角部が円弧状に面取りされた矩形（本実施の形態では正方形）の板状に形成されており、回転シャフト４４が板厚方向に貫通した状態で並列的に固定されており、回転シャフト４４と一体で回転する。
【００２１】
切断機構部３７は、複数（本実施の形態では４本）のハンマ軸４８を備えている。各ハンマ軸４８は、支持プレート４６に掛け渡されており、それぞれ回転シャフト４４に対して平行な状態で各支持プレート４６に支持されている。各ハンマ軸４８の軸線方向両端部の外周面には雄ねじが形成されており、当該雄ねじに図示しないナットが螺合されることで、各ハンマ軸４８が支持プレート４６に固定されている。
【００２２】
各ハンマ軸４８の軸線方向両端部以外の部分の外周面は平滑面とされており、当該平滑面とされた部位には、それぞれハンマとしての複数のフリーハンマ５０が取り付けられている。
【００２３】
フリーハンマ５０は、略矩形平板状に形成されており、基端部には図示しない円形の貫通孔が形成され、ハンマ軸４８が貫通している。これにより、フリーハンマ５０はハンマ軸４８に回転自在に支持されている。
【００２４】
一方、破砕室１４の装置前方側には、排出口５２が形成されており、排出口５２には、破砕網５４が取り付けられている。破砕網５４は、円弧状に湾曲した板材であり、破砕室１４の内壁の一部を形成している。破砕網５４には、被破砕物
Ｍの破砕片を破砕室１４から排出するための複数の排出孔５６が形成されており、排出孔５６を介して排出された破砕片は、破砕室１４の装置前方側に接続された排出樋５８を介して装置外部に排出される構成となっている。
【００２５】
なお、破砕網５４は、湾曲方向一端部がヒンジ部６２を介して機体１２に取り付けられると共に、当該湾曲方向一端部にレバー６０が連結されている。レバー６０は、ばね６６によって装置後方側へ付勢されており、これにより、破砕網５４は通常は排出口５２を閉塞しているが、レバー６０を装置前方側へ倒すと、破砕網５４が装置前方側へ回動し、排出口５２が開放されるようになっている。
【００２６】
次に、本発明の実施形態の作用について説明する。
【００２７】
上記構成の破砕装置１０では、モータ２２が駆動されると、モータ２２の駆動力が図示しない駆動伝達部を介して供給ローラ２４及び回転シャフト４４に伝達され、供給ローラ２４及び回転シャフト４４が、各々図２の矢印方向へ回転される。
【００２８】
ここで、供給ホッパ３０に被破砕物Ｍを供給すると、被破砕物Ｍは底板３０Ａと供給ローラ２４との間に挟まれ、供給ローラ２４によって破砕室１４に強制的に送り込まれる。送り込まれた被破砕物Ｍは、回転するフリーハンマ５０によって叩きつけられ細かく破砕する。破砕された破砕片は破砕室１４の排出口５２に取り付けられた破砕網５４の排出孔５６と排出桶５８を介して装置外部へ排出される。
【００２９】
ところで、被破砕物Ｍの破砕衝撃によって機体１２及び供給ホッパ３０が強力にかつ連続的に振動する。そして、供給ホッパ３０上の被破砕物Ｍも激しく振動する。この結果、被破砕物Ｍに混入している土Ｔや小石Ｓ等の異物が被破砕物Ｍから供給ホッパ３０上に振り落とされると共に、底板３０Ａの多数の篩孔３２や側板３０Ｂの多数の篩孔３９から篩い落とされる。篩い落とされた異物は供給ホッパ３０の下方に置いてあるトレー１８に集積される。
【００３０】
このようにして、剪定枝や残幹等の被破砕物Ｍに混入している土Ｔや小石Ｓ等の異物が、破砕処理される前に篩孔３２や篩孔３９から篩い落とされ、異物が処理装置に入ることが防止される。
【図面の簡単な説明】
【００３１】
【図１】本発明の実施形態に係る処理装置の斜視図である。
【図２】本発明の実施形態に係る処理装置の断面図である。
【符号の説明】
【００３２】
１０  破砕装置（処理装置）
３０  供給ホッパ
３０Ａ  底板
３０Ｂ  側板
３２  篩孔
３７  破砕機構部
３９  篩孔
Ｍ    被破砕物（処理対象物）
Ｔ    土（異物）
Ｓ    小石（異物）
【図１】
2007268480.tif 000003
【図２】
2007268480.tif 000004